(57)【要約】【課題】生活空間に使用可能なアレルゲンを不活化するための被膜組成物等を提供することを目的とする。【解決手段】被膜形成成分とアレルゲンを不活性化する酵素とタンパク質変性剤とを含有することを特徴とする被膜組成物を、建物の内面、例えば床表面などに塗布してアレルゲン不活性化層を設け、人の生活空間におけるアレルゲンを不活化し、アレルギーの発生を抑制する。【選択図】      なし【特許請求の範囲】
【請求項１】
被膜形成成分と、アレルゲンを不活性化する酵素と、タンパク質変性剤とを含有することを特徴とする被膜組成物。
【請求項２】
前記アレルゲンを不活性化する酵素が、プロテアーゼであることを特徴とする請求項１に記載の被膜組成物。
【請求項３】
前記タンパク質変性剤が、ドデシル硫酸ナトリウム、ドデシル硫酸リチウム、３，５−ジドデシル硫酸リチウム、トリス（ヒドロキシメチル）アミノメタンドデシルサルフェート、コール酸ナトリウム、Ｎ−ラウロイルサルコシン、Ｎ−ラウロイルサルコシン酸ナトリウム、セチルジメチルエチルアンモニウムブロミド、セチルトリメチルアンモニウムブロミド、３−［（３−コールアミドプロピル）ジメチルアンモニド］−２−ヒドロキシ−１−プロパンスルフォネート、３−［（３−コールアミドプロピル）ジメチルアンモニド］−１−プロパンスルフォネート、ポリオキシエチレンノニルフェニルエーテルおよび尿素からなる群より選択されることを特徴とする請求項１または２に記載の被膜組成物。
【請求項４】
前記被膜形成成分が、ワックス基材および溶剤を含むつや出し剤である請求項１から３の何れか一項に記載の被膜組成物。
【請求項５】
さらに、保湿剤を含むことを特徴とする請求項１から４のいずれか一項に記載の被膜組成物。
【請求項６】
被膜形成成分とアレルゲンを不活性化する酵素とタンパク質変性剤とを含有することを特徴とする被膜組成物にて形成されたアレルゲン不活化層を、露出部の全部または一部に備える住宅用建材。
【請求項７】
板状体の表面に、被膜形成成分とアレルゲンを不活性化する酵素とタンパク質変性剤とを含有する被膜組成物で形成されたアレルゲン不活化層を備える床材。
【請求項８】
被膜形成成分と、アレルゲンを不活性化する酵素と、タンパク質変性剤とを含有することを特徴とする被膜組成物を、建物の内面に塗布することを特徴とする、アレルゲン不活化方法。
【発明の詳細な説明】
【技術分野】
【０００１】
本発明は、被膜組成物に関し、詳しくは住宅などの建物内のアレルゲンを不活化するために適した被膜組成物に関する。
【背景技術】
【０００２】
近年、アレルギー問題がクローズアップされている。アレルゲンとしてはスギ花粉が有名であるが、住宅の高気密化など、最近の住宅事情により、ダニなどの害虫およびその排泄物などによるアレルギーも深刻化している。具体的には、住居内性ダニ類、特に室内塵中に多いチリダニのアレルゲン（Ｄｅｒ１、Ｄｅｒ２）や、主に春季に猛威を振るうスギ花粉アレルゲン（Ｃｒｉｊ１、Ｃｒｉｊ２）等の多くのアレルゲンが生活空間内に存在する。
【０００３】
このようなアレルギー対策として、従来から、種々の製品、例えば掃除機やモップなどのハウスダストをまとめて処理する掃除用具などが世に送り出されている。また、一般的に行われているアレルギーから身を守る方法、即ち、アレルゲンを排除する方法としては以下のようなものがある。例えば、スギに代表される花粉の場合には、外出時に着用するマスクに花粉を通過させないような細かいメッシュを入れることによって体内に花粉が取り込まれないようにする方法が、また屋内では集塵機に代表される装置によってそれらを捕獲する方法などが行われている。しかしながら、集塵機などによって居住空間に存在する花粉を積極的に排除したとしても、それは空気中浮遊物質の一部として花粉が捕獲されるに過ぎない。従って、このような方法単独では十分なアレルゲンの除去は困難である。
【０００４】
一方、ダニなどに代表される害虫由来のアレルゲンの場合、寝具やソファ、並びに畳や床などの清掃をこまめに行うことで害虫の存在量を減らし、それによってアレルゲン量を軽減させているのが現状である。しかしながら、このような方法では、一時的にアレルゲンの量は減少するものの、害虫が繁殖すればアレルゲン量も増加してしまう。従って、アレルゲン量を十分に低い値で維持するためには相当な人力が必要とされる。また、薬品を用いて害虫駆除を行うことも可能であるが、人体に影響のない安全な範囲での使用に限られるため、十分に駆除しきれない場合もある。
【０００５】
その他、アレルゲンを生活環境内で抑制するための技術として、アレルゲンを抑制するために床用艶出し剤中に、フェノール基を有する高分子等を配合することが提案されている（例えば特許文献１など）。
【０００６】
【特許文献１】特開２００４−１４３２６６号公報
【発明の開示】
【発明が解決しようとする課題】
【０００７】
上記のようなアレルゲンは、タンパク質（またはポリペプチド）である。したがって、アレルゲンを不活性化させる方法として、タンパク質を変性させる要因、例えば、熱、酸またはアルカリ等を用いてアレルゲンを変性させることが考えられる。この方法も一定の成果は上げることができる。しかし、実際は、ダニや花粉に起因するアレルゲンには非常に安定性の高いものがあり、生活空間で安全に使用できる程度の熱、酸またはアルカリなどでは容易に分解されない場合もあった。
【０００８】
本発明は、上記に鑑みてなされたものであって、生活空間で使用可能であって、アレルゲンを不活化することができる被膜組成物等を提供することを目的とする。
【課題を解決するための手段】
【０００９】
上記のような状況に鑑み、本発明者らは鋭意研究を進めたところ、タンパク質変性剤に加え、プロテアーゼに代表される酵素を加えた組成物がアレルゲンの不活化に有効であることを見出した。さらに床や壁などに塗布して被膜を形成する被膜成形成分を混合し、これを生活空間を構成する壁や床に適用することにより、生活環境内に入り込んだアレルゲンを不活化し、アレルギーの発生を抑制することができるとの着想を得て本発明を完成させるに至った。すなわち、本発明は下記被膜組成物などを提供するものである。
【００１０】
〔１〕被膜形成成分と、アレルゲンを不活性化する酵素と、タンパク質変性剤とを含有することを特徴とする被膜組成物。
〔２〕前記アレルゲンを不活性化する酵素が、プロテアーゼであることを特徴とする上記〔１〕に記載の被膜組成物。
〔３〕前記タンパク質変性剤が、ドデシル硫酸ナトリウム、ドデシル硫酸リチウム、３，５−ジドデシル硫酸リチウム、トリス（ヒドロキシメチル）アミノメタンドデシルサルフェート、コール酸ナトリウム、Ｎ−ラウロイルサルコシン、Ｎ−ラウロイルサルコシン酸ナトリウム、セチルジメチルエチルアンモニウムブロミド、セチルトリメチルアンモニウムブロミド、３−［（３−コールアミドプロピル）ジメチルアンモニド］−２−ヒドロキシ−１−プロパンスルフォネート、３−［（３−コールアミドプロピル）ジメチルアンモニド］−１−プロパンスルフォネート、ポリオキシエチレンノニルフェニルエーテルおよび尿素からなる群より選択されることを特徴とする上記〔１〕または〔２〕に記載の被膜組成物。
〔４〕前記被膜形成成分が、ワックス基材および溶剤を含むつや出し剤である、上記〔１〕から〔３〕の何れか一項に記載の被膜組成物。
〔５〕さらに、保湿剤を含むことを特徴とする、上記〔１〕から〔４〕のいずれか一項に記載の被膜組成物。
〔６〕被膜形成成分とアレルゲンを不活性化する酵素とタンパク質変性剤とを含有することを特徴とする被膜組成物にて形成されたアレルゲン不活化層を、露出部の全部または一部に備える住宅用建材。
〔７〕板状体の表面に、被膜形成成分とアレルゲンを不活性化する酵素とタンパク質変性剤とを含有する被膜組成物で形成されたアレルゲン不活化層を備える床材。
〔８〕被膜形成成分と、アレルゲンを不活性化する酵素と、タンパク質変性剤とを含有することを特徴とする被膜組成物を、建物の内面に塗布することを特徴とする、アレルゲン不活化方法。
【発明の効果】
【００１１】
本発明によれば、アレルゲンを不活化させる被膜組成物が提供される。本発明の被膜組成物を壁、床などに塗布することにより、アレルギーの発生を抑制することができる。
【発明を実施するための最良の形態】
【００１２】
以下、この発明について詳細に説明する。なお、下記に示す実施形態によりこの発明が限定されるものではない。また、下記実施の形態における構成要素には、当業者が容易に想定できるもの、あるいは実質的に同一のものが含まれる。
【００１３】
本発明の被膜組成物は、被膜形成成分と、アレルゲンを不活性化する酵素と、タンパク質変性剤とを含有する。アレルゲンは酵素またはタンパク質変性剤のいずれか一方によっても不活化し得る。しかし、近年特に問題化しているダニや花粉に起因するアレルゲンは安定性が高く、いずれか一方では不活化しにくい場合がある。本発明の被膜組成物は、酵素およびタンパク質変性剤を併用することにより、アレルゲンの不活化する作用が強い組成物とすることができる。酵素もタンパク質でありタンパク質変性剤によって変性し得るものである。しかし、下記に示すように変性しにくい酵素を用いることにより、長期間共存させることは可能である。また、本発明の被膜組成物を、例えばつや出し用組成物（いわゆるワックスなど）などのように所定の期間ごとに塗布しなおす用途に適用する場合、塗り直しするまでの所定の期間共存可能であればアレルゲン不活化の効果を十分に得ることができる。
【００１４】
アレルゲンを不活化する酵素としては好ましくはプロテアーゼが例示される。プロテアーゼとはペプチド結合を分解する性質を有する酵素である。プロテアーゼは酸性、中性、塩基性の何れであってもよい。好ましいプロテアーゼとしては、例えば、トリプシンなどのセリンプロテアーゼ；パパイン、カルパイン、カテプシンＢおよびカテプシンＬなどのシステインプロテアーゼ；ペプシン、レニンおよびカテプシンＤなどのアスパラギン酸プロテアーゼ；並びにメタロプロテアーゼなどが例示される。また、本発明で用いられるプロテアーゼは、耐熱性が高く、またドデシル硫酸ナトリウム（ＳＤＳ）などの界面活性剤や尿素などに対する耐久性が高いものがより好適である。具体的には、pfu protease S（タカラバイオ社製）などが市販の好適な酵素として入手可能である。
【００１５】
前記タンパク質変性剤としては、ドデシル硫酸ナトリウム、ドデシル硫酸リチウム、３，５−ジドデシル硫酸リチウム、トリス（ヒドロキシメチル）アミノメタンドデシルサルフェート、コール酸ナトリウム、Ｎ−ラウロイルサルコシン、Ｎ−ラウロイルサルコシン酸ナトリウム、セチルジメチルエチルアンモニウムブロミド、セチルトリメチルアンモニウムブロミド、３−［（３−コールアミドプロピル）ジメチルアンモニド］−２−ヒドロキシ−１−プロパンスルフォネート、３−［（３−コールアミドプロピル）ジメチルアンモニド］−１−プロパンスルフォネート、ポリオキシエチレンノニルフェニルエーテルおよび尿素からなる群より選択される１種または２種以上が用いられ、好ましくはドデシル硫酸ナトリウムおよび／または尿素が用いられる。
【００１６】
本発明の被膜組成物が含有する被膜形成成分は、塗布された後に硬化または乾燥して被膜を形成するものであればよい。例えば、本発明の被膜組成物の好ましい一形態としては、ワックスなどが挙げられる。つや出しに用いられるワックスは通常定期的に塗布を繰り返すため、ワックスの塗布に併せて、アレルゲンを不活化するための酵素およびタンパク質変性剤を供給することができる。ワックスとする場合、被膜形成成分としてはつや出し剤を配合する。つや出し剤はワックス基材とその溶剤とを含む。ワックス基材としては、好ましくは、天然樹脂；ポリエチレン、ポリ酢酸ビニル、ポリ塩化ビニル、ポリスチレン樹脂、アクリル樹脂などの合成樹脂などが挙げられる。また、溶剤としては、好ましくはソルベントナフサ、テルペン油などが例示される。
【００１７】
本発明の被膜組成物は酵素の働きによりアレルゲンを不活化するものであるため、湿度が高い環境下のほうが効果を発揮しやすい。湿度が極度に低い環境下で用いる場合などには、本発明の被膜組成物中に保湿剤を配合することが好ましい。被膜組成物中に保湿剤を配合することにより、酵素反応の活性化を補助することができる。本発明の被膜組成物中に配合する保湿剤としては、好ましくは糖類であるグリセリン、デキストラン、デキストリン、プルラン、シクロデキストリン、セルロースガムなどが挙げられる。また合成保湿剤を利用することも可能である。
【００１８】
本発明の皮膜組成物中に含有される酵素およびタンパク質変性剤の量は適宜調整してよいが、好ましい範囲を示すと次の通りである。本発明の被膜組成物に含有する酵素量としては、好ましくは0.１U/ml〜10U/ml、より好ましくは0.5U/ml〜5U/mlである。また、被膜組成物中に含有するタンパク質変性剤の量は、0.01M〜10M、より好ましくは6M〜8Mである。またSDSの場合では2.5%（w/w）以下が好ましく、より好ましくは0.01％〜5%である。。酵素及びタンパク質変性剤の量をこのように調整することにより、被覆形成成分と混合してもアレルゲンの不活化効果を得られる。また、酵素をタンパク質変性剤と併存させても酵素まで失活してしまうことを抑制し、アレルゲンの不活化を一定期間維持することが可能である。
【００１９】
本発明の被膜組成物には、アレルゲン不活性化の有効性を阻害しない範囲で、必要に応じて、増粘剤、乳化剤、水溶媒、着色剤、マスキング剤、消臭剤、可塑剤、帯電防止剤、殺菌剤、防カビ剤、害虫忌避剤、噴射剤、分散剤などの他の添加物を配合してもよい。
なお、被膜形成成分に配合される、酵素、タンパク質変性剤、その他の添加物はマイクロカプセルなどに封入し、持続性等を調整することもできる。
【００２０】
本発明の被膜組成物は、所望の場所に塗布し、被膜を形成させて用いる。居住者のアレルギー抑制という観点から、本発明の被膜組成物を建物の内面に塗布することが好ましい一形態として示される。すなわち、本発明の被膜組成物は家屋内におけるアレルゲンの抑制に好適である。したがって、本発明は、上記本発明の被膜組成物を塗布した住宅用建材、特に好ましくは床材をも提供する。本明細書で「住宅用建材」とは人が一時的または長期的に生活・居住する建物に用いられる建材を広く含む。住宅用建材の場合、住宅などの内面に露出する部分に本発明の組成物が塗布されてアレルゲン不活性化層を形成させることが好適である。アレルゲン不活性化層は露出部の全部又は一部に設けられるが、アレルギーの抑制という観点からは可能な範囲で広い範囲に設けることが好ましい。
【００２１】
また、本発明の住宅用建材としては特に床材とすることが好適である。アレルゲンは種類にもよるが床の表面に付着・堆積しやすい。そこで、建材の好ましい一形態として、表面に上記本発明の被膜組成物で形成されたアレルゲン不活化層を備える床材が提供される。また、被膜組成物としてつや出し剤を含むワックスとすることにより、所定の期間ごとに塗布し直すことが容易に行われるため、アレルゲン不活性化層の機能を容易に持続させることができる。
【産業上の利用可能性】
【００２２】
本発明はアレルギーの抑制に有効であり、例えば住宅用建材等の産業分野で特に有用である。